(57)【要約】【課題】  ＯＦＤＭ通信装置において、参照シンボルや伝送路補正用シンボルなどの通信制御のためのシンボルを送信する必要があるため、特に送信データが短い場合には伝送効率が低下するという問題があった。【解決手段】  複数のキャリアからなるＯＦＤＭシンボルのうちの１つのキャリアを基準キャリア、残りのキャリアをデータを送信するためのデータキャリアとしてキャリアを配置し、差動変調器により隣接するキャリアに差動変調を行って作成された差動送信データを送信し、受信側では、差動復調器により隣接する２つのキャリアの周波数領域信号からデータを復調することで、全キャリア数に占めるデータキャリアの割合が多いため、送信データが少ない場合には特に伝送効率が向上する。【選択図】図３
2006074081.tif 000002
【特許請求の範囲】
【請求項１】
周波数軸上に配置した複数のキャリアからなるシンボルのうちの１部のキャリアを基準キャリア、他のキャリアをデータキャリアとし、作動変調器により送信データの隣接するキャリアに差動変調を行って作成された差動送信データを送信するＯＦＤＭ通信装置。
【請求項２】
シンボルのうちの１部のキャリアを基準キャリア、他のキャリアをデータキャリアとし、送信データの隣接するキャリアに差動変調を行って作成された差動送信データを受信し、差動復調器により前記差動送信データから周波数領域信号に変換された隣接するキャリアの内積演算で位相を判定して復調するＯＦＤＭ通信装置。
【請求項３】
周波数軸上に配置した複数のキャリアからなるシンボルのうちの１部のキャリアを基準キャリア、他のキャリアをデータキャリアとし、複数のデータキャリアに同一の送信データを割当てて作動変調器により送信データの隣接するキャリアに差動変調を行って作成された差動送信データを送信するＯＦＤＭ通信装置。
【請求項４】
シンボルのうちの１部のキャリアを基準キャリア、他のキャリアをデータキャリアとし、複数のデータキャリアに同一の送信データを割当てて送信データの隣接するキャリアに差動変調を行って作成された差動送信データを受信し、差動復調器により前記差動送信データから周波数領域信号に変換された隣接するキャリアの内積演算で位相を判定して復調して多数決判定部に入力し、多数決判定して正しいデータを出力するＯＦＤＭ通信装置。
【請求項５】
識別情報，送信データを入力して複数のキャリアを同一データとして差動符号化する差動符号部と、識別情報，伝送路推定用シンボル，送信データを入力して多値ＱＡＭ化する多値ＱＡＭ部と、前記差動符号化部の出力と前記多値ＱＡＭ部の出力を切替える切替部とを備え、前記伝送路推定用シンボルを受信して推定された伝送路のＳ／Ｎに基づいて前記切替部を切替えて前記差動符号化部の出力と前記多値ＱＡＭ部の出力を切替えるＯＦＤＭ通信装置。
【請求項６】
前記データキャリアの間に不使用領域が存在する場合は、不使用領域の後の最初のキャリアを基準キャリアに設定する請求項１から４のいずれかに記載のＯＦＤＭ通信装置。
【発明の詳細な説明】
【技術分野】
【０００１】
本発明は、ＯＦＤＭ（直交周波数分割多重）通信方法を利用してデータの送受信を行うＯＦＤＭ通信装置に係わり、特に伝送効率を向上するのに好適なデータの変調方法を採用したＯＦＤＭ通信装置に関する。
【背景技術】
【０００２】
ＯＦＤＭ（Orthogonal Frequency Division Multiplexingの略）通信方法は、複数のキャリアを周波数軸上に等間隔で配置し、各キャリアにデータを重畳して通信する方法である。複数のキャリアを用いるマルチキャリア通信方法に比べ、キャリアの周波数間隔を最小にすることができるため、伝送速度と使用周波数帯域幅との比で表される周波数利用効率が高く、高速化が可能である。このような特徴からＡＤＳＬや無線ＬＡＮの通信方法として広く採用されている。
【０００３】
ＯＦＤＭ通信方法において各キャリアを変調する方法としては、〔特許文献１〕に記載のように、ＯＦＤＭ変調回路を差動符号化のスタートシンボルを記憶するＳＳメモリ回路等で構成した差動変調方法、又は〔特許文献２〕に記載のように、受信する信号を初期位相メモリ回路が出力する初期位相でサブキャリア毎に検波して残留周波数誤差信号とする同期検波を用いる多値振幅位相変調方法があり、この２つの方法のいずれかが採用される。
【０００４】
【特許文献１】特開２０００−５９３２９号公報
【特許文献２】特開２０００−１６５３４１号公報
【発明の開示】
【発明が解決しようとする課題】
【０００５】
差動変調は送信データの変化を送信信号にする方法であり、ＯＦＤＭ通信方法のキャリア変調に差動変調を用いる場合には、位相基準となる参照シンボルを送信し、次のシンボルからは、位相基準と送信データとの変化によりキャリアを変調したシンボルを送信する。受信側では参照シンボルの各キャリアの位相と、次に受信されたシンボルの位相との差から受信データを復調する。受信シンボルが複数ある場合には一つ前で受信されたシンボルの位相と比較して復調する。送信信号は伝送路によって各キャリアの位相が変化するが、差動変調の場合には一つ前のシンボルの同一のキャリアの位相差を検出するため、伝送路で発生する位相変化を補正する必要はない。
【０００６】
一方、同期検波を用いる多値振幅位相変調方法では、振幅と位相を送信データによって変化させるため、伝送路で発生する振幅と位相変化を補正する必要がある。この補正は、伝送路の振幅，位相変化を推定して行うが、伝送路の振幅，位相変化を推定するため、伝送路補正用シンボルを送信した後、送信シンボルを送信する。伝送路補正用シンボルの送信時の振幅，位相は既知であり、受信側では、受信された伝送路補正用シンボルの振幅，位相変化から伝送路の伝達関数を求め、受信されるシンボルを伝達関数を用いて補正して復調する。
【０００７】
これら２つの方法は、参照シンボルや伝送路補正用シンボルなどの余分なシンボルを送信する必要があるため、送信データが短い場合には特に伝送効率が低下するという問題がある。
【０００８】
また、ＯＦＤＭ通信方法では、伝送路の信号電圧対ノイズ電圧比であるＳ／Ｎによってキャリアの変調方法を変えて通信する適応速度制御が採用され、耐ノイズ性が向上されている。しかし、ノイズが比較的に大きい場合に採用されるＢＰＳＫ変調も、さらに耐ノイズ性を向上させたスペクトル拡散方法に比べるとノイズに対しては弱いという問題がある。
【０００９】
本発明の目的は、伝送効率の低下を防止し、耐ノイズ性を向上したＯＦＤＭ通信装置を提供することにある。
【課題を解決するための手段】
【００１０】
上記目的を達成するため、本発明のＯＦＤＭ通信装置は、複数のキャリアからなるシンボルの１つのキャリアを基準キャリア、他のキャリアをデータキャリアとし、隣り合うキャリアの位相差を差動変調器により差動変調する。これにより、全キャリアが基準信号となる参照キャリアを用いる従来の差動変調方法に比べ、参照キャリアの数を減らすことができ、伝送効率を向上できる。
【００１１】
本発明のＯＦＤＭ通信装置は、複数のキャリアに同一の送信データを割当てる変調方法、もしくは複数のキャリアに同一の送信データを割当てる変調方法と適応速度制御を併用する。そのため、ノイズが少ないときは高速で、ノイズが大きい場合にも低速ながら通信を実現することができる。
【発明の効果】
【００１２】
本発明によれば、データを送信する場合に１シンボルを基準キャリアや伝送路補正用シンボルとして使う必要が無いため、伝送効率が向上する。特に送信データが少ない場合、例えば送信データが１シンボル以内の場合には、５０％程度の向上となる。また、適応速度制御と複数キャリアに同一の送信データを割当てる変調方法を併用するため、従来の
ＯＦＤＭでは通信できないほどのノイズが発生した場合においても通信が可能であり、通信装置の信頼性が向上する。
【発明を実施するための最良の形態】
【００１３】
本発明の第１の実施例を図１から図４により説明する。図１は、本実施例のＯＦＤＭ通信装置の送信スペクトル、図２は、ＢＰＳＫ（Binary PSK）のコンスタレーション、図３は、送信処理回路の構成、図４は、受信処理回路の構成を示している。
【００１４】
図３に示すように、差動変調器５により送信データ４には、隣接するキャリアに差動変調が行われ、差動変調された信号はシリアル／パラレル変換器１６ａ（Ｓ／Ｐ１６ａ）によりパラレルデータに変換され、逆フーリエ変換器６（ＩＦＦＴ６）で送信時間信号に変換された後、パラレル／シリアル変換器７ａ（Ｐ／Ｓ７ａ）によりシリアル信号に変換されて送信信号８として送信される。
【００１５】
図１に示す送信スペクトルのように、データキャリア２ａ，２ｂ，２ｃ，２ｄは、左端のキャリアを基準キャリア１として、他のキャリアが差動送信データ３を送信するためのデータキャリア２ｂ，２ｃ，２ｄである。
【００１６】
差動変調器５では、送信データ４の先頭データ０が入力されると、先頭データ０の入力と遅延器１３ａの出力とが排他的論理和１２（ＥＯＲ１２）で演算される。遅延器１３ａの初期値を０とすると、先頭データ０，遅延データ０のためＥＯＲ１２の出力は０となる。次の送信データである１がＥＯＲ１２に入力されると、遅延器１３ａの出力は０であるためＥＯＲ１２の出力は１となる。さらに次の送信データである０がＥＯＲ１２に入力されると、遅延器１３ａの出力は１であるためＥＯＲ１２の出力は１となる。以上のような動作にて差動変調器５は送信データ４の１ｂｉｔデータが入力される毎に遅延器１３ａの出力データとの間で排他的論理和演算することで差動送信データ３を生成することができる。
【００１７】
一方、図４に示す受信処理回路では、送信信号８が伝送路を伝播して間に振幅，位相が変化した受信信号９をシリアル／パラレル変換器１６ｂ（Ｓ／Ｐ１６ｂ）によりパラレルデータに変換し、フーリエ変換器１０(ＦＦＴ１０)で周波数領域信号ｉ(ｋ)＋ｊ*Ｑ(ｋ)に変換され、パラレル／シリアル変換器７ｂ(Ｐ／Ｓ７ｂ)によりシリアル信号に変換され、差動復調器１１に入力され、受信データとして復調される。
【００１８】
差動送信データ３の０，１のデータに応じて図２に示すＢＰＳＫのコンスタレーションにデータが変換されるが、ｋ番目のキャリアのデータをｉ(ｋ)＋ｊ*Ｑ(ｋ) とすれば、ひとつ前のｋ−１番目のキャリアデータとの位相差は、数１の内積演算によりもとめることができる。
【００１９】
（数１）
Ｆ(ｋ)＝ｉ(ｋ−１)*ｉ(ｋ)＋Ｑ(ｋ−１)*Ｑ(ｋ)
図２に示すｋ−１番目とｋ番目のキャリアの関係においては、ｉ(ｋ)＝ｉ(ｋ−１)＝０であるので、内積演算Ｆ(ｋ)は、Ｆ(ｋ)＝−Ｑ*Ｑ と負の値となる。ｋ−１番目とｋ番目のキャリアのデータが同一の値であれば、内積演算Ｆ(ｋ)は、Ｆ(ｋ)＝Ｑ*Ｑ となり正の値となる。ＢＰＳＫの場合には、０，１のデータを復調すればよいので、内積演算Ｆ(ｋ)の符号で位相差を判定することができる。
【００２０】
本実施例によれば１つのキャリアを基準信号として使用し、同時に送信する他のキャリアをデータキャリアとして送信できるため、基準キャリアが少なく伝送効率が高くなる。例えば、１シンボルが５キャリアの場合に、２シンボルを送信するためには、従来の差動変調方法では、１シンボル目の５キャリア全てを基準キャリアとするためデータキャリア数は５となる。これに対して、本実施例では合計１０キャリア中の８キャリアをデータキャリアとして利用できるため、データキャリア数の割合が従来の差動変調方法の１.６ 倍に向上する。ＯＦＤＭ通信方法における１シンボル当たりのキャリア数は数十から数百であり、キャリア数が多いほど効果は大きい。
【００２１】
本発明の第２の実施例を図５から図７を用いて説明する。第１の実施例ではキャリア変調方法がＢＰＳＫの場合について説明したが、本実施例ではＱＰＳＫ（Quadrature PSK）でキャリアを変調する場合について説明する。図５はＱＰＳＫのコンスタレーション、図６は送信処理回路の構成、図７は受信処理回路の構成を示す。
【００２２】
本実施例のＱＰＳＫのコンスタレーションは、２ｂｉｔ単位のデータに対して図５に示すように反時計回りに００から１１までの各座標位置としている。図６において、送信データ４をシリアル／パラレル変換器１６ｃ（Ｓ／Ｐ１６ｃ）により２ｂｉｔ単位のパラレルデータに変換し、２ｂｉｔ単位のデータを差動変調器５に入力する。差動変調器５では、ＥＯＲ１２にて排他論理和演算を実行し差動送信データ３を得る。その後の処理は、図１から図４で説明した第１の実施例の動作と同様に行われる。図７に示す受信処理回路では、キャリアのデータであるｉ(ｋ)及びＱ(ｋ)を差動復調器１１に入力し、ｋ−１番目とｋ番目のキャリアデータを用いて演算回路１７にて、Ｆ０＋Ｆ１及びＦ０−Ｆ１を計算する。Ｆ０及びＦ１の計算式を数２に示す。
【００２３】
（数２）
Ｆ０＝ｉ(ｋ−１)*ｉ(ｋ)＋Ｑ(ｋ−１)*Ｑ(ｋ)
Ｆ１＝ｉ(ｋ)*Ｑ(ｋ−１)−ｉ(ｋ−１)*Ｑ(ｋ)
ＱＰＳＫでは各座標点の位相は９０度毎に変化しており、その位置はＦ０＋Ｆ１，Ｆ０−Ｆ１から表１に示すように対応づけることができる。
【００２４】
【表１】
2006074081.tif 000003
【００２５】
以上説明したように、ＱＰＳＫの場合においても１つの基準キャリアを用いて、隣接するキャリアに差動信号データを送信することで、伝送効率を向上させることができる。
【００２６】
本発明の第３の実施例を図８により説明する。本実施例は、第１，第２の実施例と同様に基準キャリアは１シンボル当たり１つであり、通信周波数領域内において通信に利用しない不使用帯域が存在する例である。本実施例では、隣接するキャリア間で差動変調するが、不使用領域が存在する場合には、不使用領域を挟んだ隣のキャリア間では周波数が離れるため伝送路での位相差が大きくなり、正しく受信できない場合が発生する。
【００２７】
図８において、通信周波数帯域２９の中に不使用領域２８ａ，２８ｂが存在する場合には、不使用領域２８ａ，２８ｂの後の最初のキャリアを基準キャリア１として設定し、隣接したキャリアをデータキャリア２とする。この基準キャリア１とデータキャリア２を、第１，第２の実施例で説明したように処理することにより、不使用領域２８ａ，２８ｂが存在する場合にも差動変調を実現することができる。
【００２８】
このように、本実施例によれば、不使用領域が存在する場合においても、キャリア間での差動変調を実現できるため伝送効率を向上させることができる。なお、これまではキャリアの中で一番周波数が低いキャリアを基準キャリアとして説明したが、一番高い周波数のキャリアを基準キャリアとして用いても良く、中間の周波数位置に存在するキャリアの１つを基準キャリアとして用いても良い。
【００２９】
本発明の第４の実施例を図９から図１２により説明する。図９は、本実施例の送信スペクトル、図１０は、送信処理部の構成、図１１は受信処理部の構成、図１２は有線での伝送路の減衰特性の実測例を示している。
【００３０】
送信スペクトルは、１つの基準キャリア１と複数のデータキャリア２からなり、データキャリアのうち３つのデータキャリアに同一の送信データを割当てている。図９に示す例では、４８本のデータキャリア２が有り、３つのデータキャリアに同一の差動送信データを割当てている。このため、４８／３＝１６のデータキャリアでデータを送信しているのと等価である。この場合、キャリア変調方式がＢＰＳＫの場合には１６ｂｉｔ、ＱＰＳＫの場合には３２ｂｉｔが１シンボルで送信可能なデータ量となる。
【００３１】
３つのデータキャリアに同一の差動送信データを割当てるため伝送速度は低下するが、３本のキャリアを用いて送信受信するため、ノイズに対しては１０*ＬＯＧ３／ＬＯＧ２の割合で信頼性が向上する。これは、同一データを割当てるキャリア数をＮとすれば、通信に利用する周波数幅がＮ倍となるため、通信帯域幅Ｗと伝送量Ｑ及び伝送路のＳ／Ｎとの関係を記述した数３に示すシャノンの定理から理解することができる。
【００３２】
（数３）
Ｑ＝Ｗ*ＬＯＧ(１＋Ｓ／Ｎ)／ＬＯＧ２
本実施例によれば、複数のキャリアに同一データを割当てることにより、耐ノイズ性を向上できる。このとき、各キャリアのＳ／Ｎが同一である場合には、どのキャリアの組合せても同様の効果がある。但し、図１２に示す伝送路の減衰特性から明らかなように、特定の周波数では減衰が大きなため、隣接するキャリアに同一データを割当てると、その周波数位置で減衰が大きな場合にはＳ／Ｎが悪いため通信ができない可能性がある。減衰が大きな周波数位置は通信線毎に異なるため、図１２に示す送信スペクトルから分るように、等間隔に同一データを割当てるようにキャリアを選択したほうが、実際の伝送路における耐ノイズ性が向上する、あるいは減衰が大きいことによる低Ｓ／Ｎを避けることができ、通信の信頼性が向上する。
【００３３】
次に複数のキャリアに同一データを割当てて送信，受信する手順を図９〜図１１により説明する。
【００３４】
送信側では、図１０に示すように送信データ４は、３つのメモリ１９ａに同時に格納される。すなわち、メモリ１からメモリ３には同一の送信データ４が格納され、切替器20ａによりメモリ１のデータを先頭から順に差動変調器５に出力し、次に切替器２０ａを切替えてメモリ２のデータを先頭から順に差動変調器５に出力し、最後に切替器２０ａを切替えてメモリ３に格納されたデータを差動変調器５に出力する。このように切替器２０ａを切替えてデータを順に出力することにより、等間隔はなれたキャリアに同一のデータを割当てて送信することができる。差動変調器５は、第１，第２の実施例で説明した差動変調器と同様の動作をする。
【００３５】
受信側では、差動復調器１１の出力データを切替器２０ｂで切替えてメモリ１９ｂのメモリ１，２，３に順次格納する。このとき、通信時に伝送エラーが発生していない場合には、送信側メモリ１９ａと受信側メモリ１９ｂには、同一のデータが格納される。
【００３６】
伝送エラーが発生している場合に対応するため、受信側メモリ１９ｂのメモリ１，２，３の出力データを入力する多数決判定器２１を設けている。３つメモリ１，２，３に格納されたデータのうち、１つのデータで伝送エラーが発生している場合には、多数決判定器２１で多数決の判定することで正しいデータを受信データとして出力することができる。
【００３７】
本実施例によれば、複数のキャリアデータに同一データを割当てて送受信を実現することができる。なお、本実施例では受信側で０，１のデジタルデータとしてメモリに格納する場合を説明したが、位相情報である内積演算Ｆ(ｋ)の強度を格納し、同一データが割当てられた内積演算Ｆ(ｋ)のデータを加算処理し、加算処理結果の正負により受信データを判定すると、強度情報を用いるためにより正確な判定が可能である。また、多数決判定においては同一のデータキャリア数は奇数であることが必要であるが、内積演算Ｆ(ｋ)を用いる場合には偶数でも判定できる。
【００３８】
本発明の第５の実施例を図１３，図１４により説明する。図１３は、差動変調時の送信信号の構成図、図１４は、適応速度制御と複数のキャリアを同一データとする通信方法との併用を実現するＯＦＤＭ通信装置の送信処理回路の構成図である。
【００３９】
上述したようにＯＦＤＭ通信方法のキャリア変調方法には、差動変調方法と同期検波を用いる多値ＱＡＭ方法がある。多値ＱＡＭ方法は、１つのキャリアにより多くのデータを割当てることができるため伝送速度は向上するが、多くのデータを割当てるとシャノンの定理から分るように、Ｓ／Ｎが比較的に高くないと通信することはできない。このため多値ＱＡＭを採用する場合には伝送路のＳ／Ｎを推定してキャリアに割当てるデータ量を可変にする適応速度制御が採用される。適応速度制御の場合には、Ｓ／Ｎが高い場合にはデータ量を多く、Ｓ／Ｎが低い場合にはデータ量を少なくして送信するため、通信の信頼性は向上するが、最小の割当量はＢＰＳＫの１ｂｉｔ／キャリアであり、これで送信できるＳ／Ｎ以下になると通信できない可能性がある。例えばＳ／Ｎが１０ｄＢ以下になると適応速度制御を行っても通信できなかった。この場合に、適応速度制御を、複数のキャリアを同一データとする方法に切替えて通信することで、通信信頼性を向上でき、またＳ／Ｎが高い場合でも高速通信が可能なＯＦＤＭ通信装置を実現することができる。
【００４０】
図１３に示すように、送信データを伝送路へ送信する場合には、送信信号の前に同期信号が必要であり、先頭に同期信号２２を設けている。上述したように適応速度変調方法の場合には、伝送路推定用シンボル２４が送信され、その後にデータ送信部２５ａのシンボルが送信される。伝送路推定用シンボル２４を受信側で解析することにより、伝送路のＳ／Ｎを推定できるようになっている。一方、差動変調の場合には同期信号２２の後に、データ送信部２５ｂのシンボルが送信される。これらの両方法を併用する場合には、どちらの方式が選択されているかを受信側で知る必要があり、このため、図１３に示すように同期信号２２の後に変調方法を識別するための識別情報２３を送信しており、受信側では、この識別情報２３によりその後に続くデータ送信部２５の変調方法を知ることができる。なお、識別情報２３は伝送路推定用シンボル２４が不要な差動変調方法の方が効率が良い。
【００４１】
図１４に示すように、本実施例の送信処理回路は、識別情報２３，送信データを入力して差動符号化する差動符号部３０，キャリアテーブル２７を参照し、識別情報２３，伝送路推定用シンボル２４，送信データを入力して多値ＱＡＭ化する多値ＱＡＭ部２６，差動符号部３０の出力と多値ＱＡＭ部２６の出力とを切替える切替部２０ｃ，切替部２０ｃの出力のシリアルデータをパラレルデータに変換するＳ／Ｐ１６ａ，パラレルデータを送信時間信号にＩＦＦＴ６，パラレル信号をシリアル信号に変換するＰ／Ｓ７ａ，Ｐ／Ｓ７ａより出力される信号と同期信号２２を切替えて先頭に同期信号を設けた送信信号を送信する切替部２０ｄで構成される。
【００４２】
このように切替部２０ｃを設けているので、送信データの変調方法として差動変調方法と同期検波を用いる多値ＱＡＭ方法を選択でき、切替部２０ｄを設けているので、先頭に同期信号を付して送信することができる。
【００４３】
以上述べたＯＦＤＭ通信装置を電力線搬送に用いた場合について説明する。電力線搬送では、商用電力を伝送する電力線に対して通信信号を重畳することで高速な通信を目指しているが、電力線には多くの家電製品が接続されており、それらの稼動状況に応じて、電力線のインピーダンスやノイズが時間的に変動する、又、電力線は配線の分岐が多いため、信号の減衰量が大きいため、電力線搬送では様々な伝送路特性に対応した通信方法が要求される。適用する差動変調方法では、１シンボル内において周波数軸上で隣接するサブキャリア間の位相差に対してデータを割り付けているので、１シンボルだけでも伝送することが可能となり、伝送遅延を小さくすることができる。又、１シンボル内で同一データを３回繰返して割り付けることで周波数ダイバーシティを持たせた差動変調方法としているので、復調時には多数決理論により正しいデータを復調することができる。
【００４４】
又、伝送誤りに対しては、(２５５，２３１)ＢＣＨ符号の誤り訂正符号を用いてＦＥＣ（Forward Error Correctionの略）処理を行い、ビット誤り率の低減を図っている。この誤り訂正処理により、２５５ビット中３ビットの誤りが訂正可能であり、４ビット以上の誤りについては、ＡＲＱ（Automatic Repeat Requestの略）処理を行うことにより、訂正が可能である。これらの処理により、１つのＢＨＣブロックにおける情報ビットは２３１ビットであるが、このうちの２２４ビットをデータ伝送に割り当てているので、２２４ビット単位での再送処理が可能である。
【図面の簡単な説明】
【００４５】
【図１】本発明の第１の実施例であるＯＦＤＭ通信装置の送信スペクトルを示す図である。
【図２】ＢＰＳＫのコンスタレーションを示す図である。
【図３】ＯＦＤＭ通信装置の送信処理回路の構成図である。
【図４】ＯＦＤＭ通信装置の受信処理回路の構成図である。
【図５】本発明の第２の実施例であるＯＦＤＭ通信装置のＱＰＳＫのコンスタレーションを示す図である。
【図６】送信処理回路の構成図である。
【図７】受信処理回路の構成図である。
【図８】基準キャリアとデータキャリアの配置を示す送信スペクトル図である。
【図９】本発明の第４の実施例である基準キャリアとデータキャリアの配置を示す送信スペクトル図である。
【図１０】送信処理回路の構成図である。
【図１１】受信処理回路の構成図である。
【図１２】減衰測定結果を示す図である。
【図１３】本発明の第５の実施例である送信信号の例を示す図である。
【図１４】送信処理回路の構成図である。
【符号の説明】
【００４６】
１…基準キャリア、２…データキャリア、３…差動送信データ、４…送信データ、５…差動変調器、６…逆フーリエ変換器、７…パラレル／シリアル変換器、８…送信信号、９…受信信号、１０…フーリエ変換器、１１…差動復調器、１２…排他的論理和、１３…遅延器、１４，１７…演算回路、１５…正負判定器、１６…シリアル／パラレル変換器、
１８…判定回路、１９…メモリ、２０…切替部、２１…多数決判定器、２２…同期信号、２３…識別情報、２４…伝送路推定用シンボル、２５…データ送信部、２６…多値ＱＡＭ部、２７…キャリアテーブル、２８…不使用領域、２９…通信周波数帯域、３０…差動符号部。
【図１】
2006074081.tif 000004
【図２】
2006074081.tif 000005
【図３】
2006074081.tif 000006
【図４】
2006074081.tif 000007
【図５】
2006074081.tif 000008
【図６】
2006074081.tif 000009
【図７】
2006074081.tif 000010
【図８】
2006074081.tif 000011
【図９】
2006074081.tif 000012
【図１０】
2006074081.tif 000013
【図１１】
2006074081.tif 000014
【図１２】
2006074081.tif 000015
【図１３】
2006074081.tif 000016
【図１４】
2006074081.tif 000017